(57)【要約】【課題】多層光ディスクを安定して再生する再生専用光ディスク装置を提供する。【解決手段】第１層及び第２層を有する多層光ディスクを再生専用機で再生する。フォーカスサーチ時にＲＦ和信号のＤＣレベルと第１しきい値を比較機１０で比較するとともに、ＲＦ信号レベルと第２しきい値を比較機１２で比較する。ＲＦ和信号のＤＣレベル及びＲＦ信号レベルがともにしきい値以上である場合にフォーカスインし、フォーカスイン後のＲＦ信号レベルと第３しきい値を比較機１４で比較する。フォーカスイン後のＲＦ信号レベルがしきい値以上である場合のみトラッキングサーボを実行することで、未記録層でのトラッキングサーボの暴走を防止する。【選択図】図３
2007317292.tif 000002
【特許請求の範囲】
【請求項１】
多層光ディスクに記録されたデータを再生する再生専用の光ディスク装置であって、
フォーカス探索時において前記多層光ディスクから得られるＲＦ信号の振幅が所定の第１しきい値以上である層にフォーカスを合わせるフォーカス制御手段と、
前記フォーカスを合わせた後に、該層のＲＦ信号の振幅が所定の第２しきい値以上である場合にのみトラッキングエラー信号に基づくトラッキングサーボを実行するトラッキング制御手段と、
を有することを特徴とする光ディスク装置。
【請求項２】
多層光ディスクに記録されたデータを再生する再生専用の光ディスク装置であって、
フォーカス探索時において前記多層光ディスクから得られるＲＦ信号のＤＣレベルが所定の第１しきい値以上であり、かつ、ＲＦ信号の振幅が所定の第２しきい値以上である層にフォーカスを合わせるフォーカス制御手段と、
前記フォーカスを合わせた後に、該層のＲＦ信号の振幅が所定の第３しきい値以上である場合にのみトラッキングエラー信号に基づくトラッキングサーボを実行するトラッキング制御手段と、
を有することを特徴とする光ディスク装置。
【発明の詳細な説明】
【技術分野】
【０００１】
本発明は光ディスク装置、特に再生専用光ディスク装置に関する。
【背景技術】
【０００２】
光ディスク装置には、ＤＶＤ−ＲＯＭ等の再生専用光ディスクを再生する再生専用機とＤＶＤ−Ｒ等の記録可能な光ディスクにデータを記録しかつ再生する記録再生機がある。再生専用機では、予め光ディスクに記録されたデータの再生ＲＦ信号を用いて位相差法等によりトラッキングエラー信号を生成してトラッキングサーボをかけるため、未だ記録されていないＤＶＤ−Ｒ等の光ディスクを装着すると、トラッキングエラー信号が生成できないためトラッキングサーボが暴走してしまう。
【０００３】
このため、下記に示す特許文献では、トラッキングエラー信号のレベルに基づいて記録済みの光ディスクか否かを判定し、記録済みの光ディスクであると判定されたときに限りトラッキングサーボを実行することが記載されている。
【０００４】
図５乃至図７に、この従来技術に開示された再生専用光ディスク装置の構成を示す。図５は全体構成図である。スピンドルモータ７によって回転駆動される光ディスク１から光ピックアップ２によって記録信号を読み取り、音声信号や映像信号を再生する。光ピックアップ２の出力はＲＦアンプ３へ供給されて、各種サーボ動作に必要な誤差信号や信号の再生に必要なＲＦ信号が作成され、これらの信号はデジタルシグナルプロセッサ(ＤＳＰ)４へ供給される。ＤＳＰ４においては、ＲＦアンプ３から得られる誤差信号に基づいて各種のサーボ動作が実行され、これによって作成された制御信号がドライバー回路６へ供給され、光ピックアップ２のアクチュエータの駆動が行なわれると共に、スピンドルモータ７の駆動が行なわれる。ＲＦアンプ３から出力されるＲＦ信号は、ＤＳＰ４にて信号再生に必要な処理を受けた後、デコーダ回路５にてデコード処理が施され、再生データとして後段回路へ出力される。ＤＳＰ４及びデコーダ回路５の動作はマイクロコンピュータ８によって制御されている。光ピックアップ２は、図６に示す如く、４つのフォトディテクタａ、ｂ、ｃ、ｄを交叉する２本の対角線上に配置して構成されており、これら４つのフォトディテクタの出力信号がＲＦアンプ３に入力される。ＲＦアンプ３においては、図６に示す様に、光ピックアップ２の１本の対角線上に配置された２つのフォトディテクタａ、ｃの出力が加算器３１に入力されて、第１加算信号が作成されると共に、他の１本の対角線上に配置された２つのフォトディテクタｂ、ｄの出力が加算器３２に入力されて、第２加算信号が作成される。更に、第１加算信号と第２加算信号は加算器３３に入力されてＲＦ信号が作成される。又、第１加算信号と第２加算信号は位相比較器３４に入力されて、両信号の位相差を示す信号が出力され、該出力信号はＬＰＦ３５を通過して、位相差法によるトラッキングエラー信号（ＴＥ信号)が作成される。ＲＦ信号は、一定幅の範囲内で変動するアイパターンを呈しており、ＲＦアンプ３は、該ＲＦ信号のピークホールド値ＰＨとボトムホールド値ＢＨの出力端子を具えている。図７にＤＳＰ４内の判断回路の構成を示す。マイクロコンピュータ８による制御の下、先ず光ディスク１が任意速度で回転駆動され、続いてＤＳＰ４によってフォーカスサーボが実行される。この結果、ＲＦアンプ３から得られる位相差法によるトラッキングエラー信号は、比較器９に入力されて、その信号レベルが所定の基準値と比較される。ここで、光ディスク１が記録済みディスクである場合、トラッキングのずれに伴って、トラッキングエラー信号は鋸歯状の波形を示し、基準値を上回ることになる。これに対し、光ディスク１が未記録の場合は、トラッキングエラー信号は得られず、ＲＦアンプ３からは、僅かなノイズが出力されるに過ぎない。従って、光ディスク１が記録済みの場合には、比較器９からは、トラッキングエラー信号が基準値を上回る度にハイとなるパルス列が出力されるのに対し、光ディスク１が未記録の場合には、比較器９からパルス列が出力されることはない。比較器９の出力信号はモノマルチ発振回路９１へ入力される。モノマルチ発振回路９１は、パルス列が入力されたときにはハイの信号を出力し、それ以外はローの信号を出力する。モノマルチ発振回路９１の出力信号は判定回路９２へ入力される。判定回路９２は、入力信号がハイのとき、光ディスク１が記録済みと判定する一方、入力信号がローのとき、光ディスク１が未記録と判定して、その判定結果をマイクロコンピュータ８へ入力する。マイクロコンピュータ８は、光ディスク１が記録済みと判定されたときには、ＤＳＰ４に対して、回転サーボやトラッキングサーボ等の必要なサーボ動作の実行を指令する。これによって、信号の再生が開始される。これに対し、光ディスク１が未記録と判定されたとき、マイクロコンピュータ８は、ＤＳＰ４に対して以後のサーボ動作の停止を指令し、光ディスクの回転を停止させる。これによって再生動作が中止される。
【０００５】
【特許文献１】特開２００２−５００５４号公報
【発明の開示】
【発明が解決しようとする課題】
【０００６】
しかしながら、近年においては単層光ディスクではなく２層ＤＶＤ−Ｒ等の多層光ディスクが存在するようになっており、このような多層光ディスクに記録再生機でデータを記録した後、再生専用機でデータを再生する場合には依然としてトラッキングの暴走等が生じ得る。例えは、第１層Ｌ０及び第２層Ｌ１から構成される２層光ディスクにおいて、第１層Ｌ０のみにデータが記録されている場合、第１層Ｌ０においては記録済みディスクと判定して再生動作を実行するため、第２層においてもトラッキングサーボをかけようとして暴走する場合があり得る。また、第１層Ｌ０の再生中に第２層Ｌ０に飛んだ場合においても、トラッキングサーボを続行しようとして暴走することになる。
【０００７】
本発明の目的は、多層光ディスクを確実に再生できる再生専用の光ディスク装置を提供することにある。
【課題を解決するための手段】
【０００８】
本発明は、多層光ディスクに記録されたデータを再生する再生専用の光ディスク装置であって、フォーカス探索時において前記多層光ディスクから得られるＲＦ信号の振幅が所定の第１しきい値以上である層にフォーカスを合わせるフォーカス制御手段と、前記フォーカスを合わせた後に、該層のＲＦ信号の振幅が所定の第２しきい値以上である場合にのみトラッキングエラー信号に基づくトラッキングサーボを実行するトラッキング制御手段とを有することを特徴とする。
【０００９】
また、本発明は、多層光ディスクに記録されたデータを再生する再生専用の光ディスク装置であって、フォーカス探索時において前記多層光ディスクから得られるＲＦ信号のＤＣレベルが所定の第１しきい値以上であり、かつ、ＲＦ信号の振幅が所定の第２しきい値以上である層にフォーカスを合わせるフォーカス制御手段と、前記フォーカスを合わせた後に、該層のＲＦ信号の振幅が所定の第３しきい値以上である場合にのみトラッキングエラー信号に基づくトラッキングサーボを実行するトラッキング制御手段とを有することを特徴とする。
【発明の効果】
【００１０】
本発明によれば、多層光ディスクを再生専用光ディスク装置で安定して再生できる。
【発明を実施するための最良の形態】
【００１１】
以下、図面に基づき本発明の実施形態について説明する。
【００１２】
本実施形態における再生専用光ディスク装置の全体構成は、図５に示された従来周知の全体構成と同様である。すなわち、スピンドルモータ７によって回転駆動される光ディスク１から光ピックアップ２によって記録信号を読み取り、音声信号や映像信号を再生する。光ピックアップ２の出力はＲＦアンプ３へ供給されて、各種サーボ動作に必要な誤差信号や信号の再生に必要なＲＦ信号が作成され、これらの信号はデジタルシグナルプロセッサ(ＤＳＰ)４へ供給される。ＤＳＰ４においては、ＲＦアンプ３から得られる誤差信号に基づいて各種のサーボ動作が実行され、これによって作成された制御信号がドライバー回路６へ供給され、光ピックアップ２のアクチュエータの駆動が行なわれると共に、スピンドルモータ７の駆動が行なわれる。ＲＦアンプ３から出力されるＲＦ信号は、ＤＳＰ４にて信号再生に必要な処理を受けた後、デコーダ回路５にてデコード処理が施され、再生データとして後段回路へ出力される。ＤＳＰ４及びデコーダ回路５の動作はマイクロコンピュータ８によって制御されている。ＤＳＰ４は、判定回路を備え、光ディスク１の記録状態を判定する。
【００１３】
但し、本実施形態では、ＤＳＰ４の判定回路は、図１に示すように光ディスク１が第１層Ｌ０及び第２層Ｌ１から構成される２層ＤＶＤ−Ｒ等の多層光ディスクであることを想定し、各層において記録済みか否かを判定する。そして、記録済みの層があれば当該層においてフォーカスサーボ及びトラッキングサーボを実行してデータを再生する一方、いずれの層も未記録であると判定した場合にはトラッキングサーボをかけることなく直ちに再生動作を中止する。
【００１４】
図２に、２層光ディスクにおける各種記録状態を示す。図２（ａ）は第１層Ｌ０及び第２層Ｌ１がともに記録済みの状態である。図２（ｂ）は第１層Ｌ０は記録済みであるが第２層Ｌ１は未記録の状態である。図２（ｃ）は第１層Ｌ０のあるエリアのみが記録済みであって残りのエリアは未記録の状態であり、第２層Ｌ１は未記録の状態である。図２（ｄ）は第１層Ｌ０及び第２層Ｌ１ともに未記録の状態である。図２（ａ）の状態の２層光ディスクを光ディスク装置に装着した場合、第１層Ｌ０及び第２層Ｌ１ともにフォーカスサーボ及びトラッキングサーボが実行され再生可能でなければならない。図２（ｂ）の状態の２層光ディスクを光ディスク装置に装着した場合、第１層Ｌ０ではフォーカスサーボ及びトラッキングサーボが実行され再生可能でなければならないが、第２層Ｌ１に関してはトラッキングサーボが暴走するおそれがあるので再生を中止しなければならない。図２（ｃ）の状態の２層光ディスクを光ディスク装置に装着した場合、第２層Ｌ１に加えて、さらに、第１層Ｌ０のうちデータが記録されていないエリアに移動した場合にトラッキングサーボが暴走するおそれがあるので再生を中止しなければならない。図２（ｄ）の状態の２層光ディスクを光ディスク装置に装着した場合、第１層Ｌ０及び第２層Ｌ１ともにトラッキングサーボが暴走するおそれがあるので再生を中止しなければならない。本実施形態のＤＳＰ４は、各種の記録状態を確実に判別し、記録状態に応じた処理を実行する。
【００１５】
図３に、本実施形態におけるＤＳＰ４内の判定回路の機能ブロック図を示す。３つの比較器１０、１２、１４と判定回路１６を有する。比較器１０、１２、１４の動作タイミングはマイクロコンピュータ８で制御される。加算器３３から出力されるＲＦ信号（ＲＦ和信号）のＤＣレベルは比較器１０に供給される。比較器１０は、光ピックアップ２の対物レンズをフォーカス方向に移動させるフォーカスサーチを実行している間のＲＦ和信号のＤＣレベルを所定の第１しきい値と大小比較し、比較結果を判定回路１６に供給する。また、加算器３３から出力されるＲＦ信号（ＲＦ和信号）のピークホールドレベルとボトムホールドレベルの差であるＲＦ信号レベル（ＲＦ信号の振幅）は比較器１２及び比較器１４に供給される。比較器１２は、比較器１０と同様にフォーカスサーチを実行している間のＲＦレベルを所定の第２しきい値と大小比較し、比較結果を判定回路１６に供給する。
【００１６】
判定回路１６は、比較器１０からの比較結果及び比較器１２からの比較結果に基づき、フォーカスインすべきか否かを判定してマイクロコンピュータ８に供給する。すなわち、比較器１０でＲＦ和信号のＤＣレベルが第１しきい値以上であり、かつ、比較器１２でＲＦ信号レベルが第２しきい値以上である場合に、記録済みの層である可能性が高いとしてフォーカスインする。一方、ＲＦ和信号のＤＣレベルが第１しきい値より小さい場合、あるいはＲＦ和信号のレベルが第１しきい値以上であってもＲＦ信号レベルが第２しきい値より小さい場合には、未記録の層であるおそれがあるとしてフォーカスインしない。この場合、当然ながらトラッキングサーボも実行されない。
【００１７】
判定回路１６がフォーカスインすべき層であると判定した場合、マイクロコンピュータ８は、フォーカスイン後に比較器１４を動作させる。比較器１４は、フォーカスイン後に供給されたＲＦ信号レベルと所定の第３しきい値とを大小比較し、比較結果を判定回路１６に供給する。判定回路１６は、比較器１４からの比較結果に基づき、トラッキングサーボを実行するか否かを判定する。すなわち、フォーカスインした後のＲＦ信号レベルが第３しきい値以上である場合には、確かに当該層においてデータが記録されていると判定してトラッキングサーボの実行許可信号をマイクロコンピュータ８に供給する。マイクロコンピュータ８は、この実行許可信号に基づき、トラッキングエラー信号ＴＥに基づくトラッキングサーボを実行し、データを再生する。一方、フォーカスインした後のＲＦ信号レベルが第３しきい値より小さい場合には、当該層においてデータが記録されていない、あるいは当該層における未記録エリアに移動したと判定してトラッキングサーボ信号の不許可信号あるいは中止信号をマイクロコンピュータ８に供給する。マイクロコンピュータ８は、この不許可信号あるいは中止信号に基づき、トラッキングサーボを実行することなく直ちに再生動作を中止する。
【００１８】
以下、図４の処理フローチャートを用いて本実施形態の動作をより詳細に説明する。光ディスク１として２層ＤＶＤ−Ｒが装着された場合である。まず、２層ＤＶＤ−Ｒが装着されると、ドライバ回路６はスピンドルモータ７を駆動して２層ＤＶＤ−Ｒを回転させる（Ｓ１０１）。そして、光ピックアップ２の対物レンズをフォーカス方向に移動させるフォーカスサーチを実行する（Ｓ１０２）。フォーカスサーチを実行することで２層ＤＶＤ−Ｒの第１層Ｌ０及び第２層Ｌ１において信号レベルがゼロとなるようなフォーカスエラー信号が生成される。第１層Ｌ０あるいは第２層Ｌ１のいずれの層にフォーカスインすべきかを以下の判定処理で決定する。
【００１９】
すなわち、フォーカスサーチを実行している間の着目層のＲＦ和信号のＤＣレベルは第１しきい値以上であるか否かを判定し（Ｓ１０３）、ＤＣレベルが第１しきい値以上である場合にはさらにＲＦレベル（ピークホールドレベルとボトムホールドレベルの差であるＲＦ信号の振幅）が第２しきい値以上であるか否かを判定する（Ｓ１０４）。ある層にデータが記録されていてＲＦ信号が得られる場合にはＤＣレベル及びＲＦ信号レベルともしきい値以上となるが、そうでない場合にはいずれかがしきい値より小さくなる。ＤＣレベルあるいはＲＦ信号レベルのいずれかがしきい値より小さい場合には（Ｓ１０３あるいはＳ１０４でＮＯ）、着目層以外の他の層が存在するか否かを判定し（Ｓ１０８）、他の層が存在する場合にはその層においてＳ１０３、Ｓ１０４の判定処理を繰り返す（Ｓ１０９）。例えば、第１層Ｌ０においてＤＣレベルあるいはＲＦ信号レベルのいずれかがしきい値より小さい場合には第２層Ｌ１に移行し、第２層Ｌ１においてＤＣレベル及びＲＦ信号レベルをそれぞれしきい値と比較する。ＤＣレベル及びＲＦ信号レベルのいずれもしきい値以上である場合には、当該層にフォーカスを合わせる（Ｓ１０５）。例えば、第１層Ｌ０はＤＣレベル及びＲＦ信号のレベルのいずれかがしきい値より小さいが、第２層Ｌ１はＤＣレベル及びＲＦ信号レベルのいずれもしきい値以上である場合には、第２層Ｌ１にデータが記録されている可能性が高いとして第２層Ｌ１にフォーカスインする。第１層Ｌ０及び第２層Ｌ１ともに、ＤＣレベルあるいはＲＦ信号レベルのいずれかがしきい値より小さい場合には、第１層Ｌ０及び第２層Ｌ１ともにデータが記録されていないと判定し、再生動作を中止する（Ｓ１１０）。すなわち、トラッキングサーボを実行することなく２層ＤＶＤ−Ｒの回転を停止し、光ディスク装置から排出（イジェクト）する。
【００２０】
ＤＣレベル及びＲＦ信号レベルがしきい値以上であり、フォーカスインされた場合には、次に当該層においてトラッキングサーボを実行するが、トラッキングサーボを実行するに先立って、まず、ＲＦ信号レベルがしきい値以上であるか否かを再度確認する（Ｓ１０６）。フォーカスインした当該層は記録済みであることを確認したものの、図２（ｃ）に示すように当該層の記録済みエリアから未記録エリアに移動する可能性もあるからである。そして、ＲＦレベルがしきい値より小さい場合には、トラッキングサーボを実行することなく直ちに再生動作を中止してトラッキングサーボの暴走を防止する（Ｓ１１０）。一方、ＲＦレベルがしきい値以上であれば、位相差法等により鋸刃状のトラッキングエラー信号ＴＥが十分なレベルで生成され、これに基づいてトラッキングサーボを実行することが可能であるから、トラッキングサーボを実行し（Ｓ１０７）、データの再生動作を続行する。
【００２１】
このように、本実施形態では、ＲＦ和信号のＤＣレベルとＲＦ信号レベルがともにしきい値以上である場合にフォーカスインし、フォーカスイン後のＲＦ信号レベルがしきい値以上である場合にトラッキングサーボを実行してデータを再生するので、未記録の層におけるトラッキングサーボの暴走を確実に防止して、再生専用光ディスク装置の安定動作を可能とできる。図２に即して説明すると、図２（ａ）の２層ＤＶＤ−Ｒでは第１層Ｌ０及び第２層Ｌ１いずれにおいてもフォーカスイン及びトラッキングサーボが実行され、図２（ｂ）の２層ＤＶＤ−Ｒでは第１層Ｌ０でフォーカスイン及びトラッキングサーボが実行され、図２（ｃ）の２層ＤＶＤ−Ｒでは第１層Ｌ０の記録済みエリアでのみトラッキングサーボが実行されて未記録エリアではディスク排出が行われ、図２（ｄ）では直ちにディスク排出が行われる。なお、図２（ａ）では第１層Ｌ０、第２層Ｌ１のいずれにおいてもフォーカスイン可能であるが、まず光ピックアップ２から見て手前側にある第１層Ｌ０にフォーカスインすればよい。
【００２２】
本実施形態における第１しきい値、第２しきい値、第３しきい値は任意に設定され、予めマイクロコンピュータ８あるいはＤＳＰ４のメモリに記憶しておけばよい。第２しきい値と第３しきい値は同一のしきい値としてもよく、第３しきい値を第２しきい値よりも大きな値としてもよい。第３しきい値はフォーカスイン後のＲＦ信号レベルを比較するしきい値だからである。
【００２３】
また、本実施形態では、ＲＦ和信号のＤＣレベル及びＲＦ信号レベルをそれぞれしきい値と比較しているが、単にＲＦ信号レベル（振幅）をしきい値と比較してフォーカスインすべきか否かを判定してもよい。この場合、フォーカスサーチ時にＲＦ信号レベルがしきい値以上となった場合にフォーカスインし、かつ、フォーカスインした後のＲＦ信号レベルがしきい値以上となった場合にトラッキングサーボを実行してデータを再生する。
【００２４】
本実施形態では２層ＤＶＤ−Ｒについて例示したが、ＤＶＤ−ＲＷその他の光ディスクにおいても同様であり、３層以上の光ディスクにも適用できる。
【図面の簡単な説明】
【００２５】
【図１】多層光ディスクの説明図である。
【図２】多層光ディスクの記録状態説明図である。
【図３】実施形態の判定回路の構成図である。
【図４】実施形態の処理フローチャートである。
【図５】従来装置の構成図である。
【図６】従来装置の構成図である。
【図７】従来装置の構成図である。
【符号の説明】
【００２６】
１  光ディスク、２  光ピックアップ、３  ＲＦアンプ、４  ＤＳＰ、８  マイクロコンピュータ。
【図１】
2007317292.tif 000003
【図２】
2007317292.tif 000004
【図３】
2007317292.tif 000005
【図４】
2007317292.tif 000006
【図５】
2007317292.tif 000007
【図６】
2007317292.tif 000008
【図７】
2007317292.tif 000009